(57)【要約】【課題】ヒューマンエラーや情報漏れを回避し、作業性の向上を図る。【解決手段】通信端末（６）と近接通信（１０）を行う近接通信部（４４）と、指針情報または内部情報を格納する記憶部（４８）と、前記近接通信部に接続された前記通信端末の要求により前記通信端末に前記指針情報を提供し、または前記通信端末から提供される内部情報を設定する制御部（情報処理部４０）とを含み、近接通信（１０）やインターネット通信（１４）による情報の授受を媒介とした検針業務や保安業務を実現している。【選択図】図１
2014186661.tif 000002
【特許請求の範囲】
【請求項１】
通信端末と近接通信を行う近接通信部と、
指針情報または内部情報を格納する記憶部と、
前記近接通信部に接続された前記通信端末の要求により前記通信端末に前記指針情報を提供し、または前記通信端末から提供される内部情報を設定する制御部と、
を含むことを特徴とするメータ。
【請求項２】
近接通信が可能な通信端末に前記近接通信により接続されるメータに搭載されたコンピュータに実行させるためのメータ管理プログラムであって、
前記近接通信により前記通信端末と接続し、
前記通信端末の要求により指針情報を提供し、または内部情報を設定する
処理を前記コンピュータに実行させるためのメータ管理プログラム。
【請求項３】
近接通信が可能なメータに前記近接通信により接続される通信端末に搭載されたコンピュータに実行させるためのメータ管理プログラムであって、
前記近接通信により前記メータに接続し、
前記メータから指針情報の読み取りまたは前記メータに内部情報を設定し、
前記メータから得た前記指針情報または前記メータに設定した前記内部情報をサーバにインターネット通信により通知する
処理を前記コンピュータに実行させるためのメータ管理プログラム。
【請求項４】
近接通信が可能なメータと、
前記近接通信により前記メータに接続され、前記メータから指針情報の読み取りまたは前記メータに内部情報を設定し、前記メータから得た前記指針情報または前記メータに設定した前記内部情報をサーバにインターネット通信により通知する通信端末と、
を含むことを特徴とするメータ管理システム。
【請求項５】
メータと近接通信を行う近接通信部と、
前記メータから取得した指針情報を格納しまたは前記メータに設定される内部情報を格納する記憶部と、
前記近接通信部に接続されたメータから前記指針情報の提供を受け、または前記メータに対して前記内部情報を設定する制御部と、
を含むことを特徴とする通信端末。
【請求項６】
さらに、サーバとインターネット通信により接続される通信部と、
前記メータから取得した前記指針情報または前記メータに設定された前記内部情報を前記サーバに前記通信部より通知する制御部と、
を備えることを特徴とする請求項５に記載の通信端末。
【請求項７】
前記制御部は、前記メータから取得した指針値から前回指針値を減算して使用量を求め、この使用量と前記サーバから提供された単価とを用いて料金を算出し、該料金を含む料金情報を出力することを特徴とする請求項６に記載の通信端末。
【請求項８】
前記料金情報を前記通信部により前記サーバに通知し、またはメール送信を行うことを特徴とする請求項７に記載の通信端末。
【発明の詳細な説明】
【技術分野】
【０００１】
本発明は、ガスなどの使用量を計測するメータ、メータ管理プログラム、メータ管理システムおよび通信端末に関する。
【背景技術】
【０００２】
ガスなどの使用量は顧客先にあるメータで計測される。この計測データの取得には検針者による検針業務によって行われている。この検針業務では、検針専用のハンディターミナルが使用される。検針者はメータの計測値を読み取り、その値を手作業でハンディターミナルに打ち込んでいる。ハンディターミナルは、検針者が携行するデータの入出力装置である。
【０００３】
検針対象である各メータの顧客データは管理業務により、ハンディターミナルにダウンロード・アップロードすることが行われる。このようなメータの検針には保安業務が不可欠である。この保安業務には、ガスメータ設定器（ＬＥＤ通信タイプ・Ａライン通信タイプ）が使用されている。ガスメータの内部情報の読み取りや、設定が行われている。
【０００４】
このような検針に関し、無線タグを使用した計量器から検針データを収集することが知られている（たとえば、特許文献１）。ガスの供給制御に関し、通信端末を用いてガスの購入量を設定し、ガス供給を制御することが知られている（たとえば、特許文献２）。
【先行技術文献】
【特許文献】
【０００５】
【特許文献１】特開２００６−２３６０７４号公報
【特許文献２】特開２０１０−２８２４４９号公報
【発明の概要】
【発明が解決しようとする課題】
【０００６】
ところで、目視で行う検針業務には、ヒューマンエラーのリスクを伴うという課題がある。また、ガスメータなどのメータ設定、その変更などに用いる情報は個人情報であり、秘密情報に属する。斯かる情報を自由に扱える環境は、情報漏れのリスクを伴うという課題がある。
【０００７】
このような業務は手数を要する上、管理業務の信頼性を維持するための対策が不可欠である。
【０００８】
そこで、本発明の目的は上記課題に鑑み、ヒューマンエラーや情報漏れを回避し、作業性の向上を図ることにある。
【課題を解決するための手段】
【０００９】
上記目的を達成するため、本発明のメータは、通信端末と近接通信を行う近接通信部と、指針情報または内部情報を格納する記憶部と、前記近接通信部に接続された前記通信端末の要求により前記通信端末に前記指針情報を提供し、または前記通信端末から提供される内部情報を設定する制御部とを含む。
【００１０】
上記目的を達成するため、本発明のメータ管理プログラムは、近接通信が可能な通信端末に前記近接通信により接続されるメータに搭載されたコンピュータに実行させるためのメータ管理プログラムであって、前記近接通信により前記通信端末と接続し、前記通信端末の要求により指針情報を提供し、または内部情報を設定する処理を前記コンピュータに実行させる。
【００１１】
上記目的を達成するため、本発明のメータ管理プログラムは、近接通信が可能なメータに前記近接通信により接続される通信端末に搭載されたコンピュータに実行させるためのメータ管理プログラムであって、前記近接通信により前記メータに接続し、前記メータから指針情報の読み取りまたは前記メータに内部情報を設定し、前記メータから得た前記指針情報または前記メータに設定した前記内部情報をサーバにインターネット通信により通知する処理を前記コンピュータに実行させる。
【００１２】
上記目的を達成するため、本発明のメータ管理システムは、近接通信が可能なメータと、前記近接通信により前記メータに接続され、前記メータから指針情報の読み取りまたは前記メータに内部情報を設定し、前記メータから得た前記指針情報または前記メータに設定した前記内部情報をサーバにインターネット通信により通知する通信端末とを含む。
【００１３】
上記目的を達成するため、本発明の通信端末は、メータと近接通信を行う近接通信部と、前記メータから取得した指針情報を格納しまたは前記メータに設定される内部情報を格納する記憶部と、前記近接通信部に接続されたメータから前記指針情報の提供を受け、または前記メータに対して前記内部情報を設定する制御部とを含む。
【００１４】
上記通信端末において、さらに、サーバとインターネット通信により接続される通信部と、前記メータから取得した前記指針情報または前記メータに設定された前記内部情報を前記サーバに前記通信部より通知する制御部とを備えてもよい。
【００１５】
上記通信端末において、前記制御部は、前記メータから取得した指針値から前回指針値を減算して使用量を求め、この使用量と前記サーバから提供された単価とを用いて料金を算出し、該料金を含む料金情報を出力してもよい。
【００１６】
上記通信端末において、前記料金情報を前記通信部により前記サーバに通知し、またはメール送信を行ってもよい。
【発明の効果】
【００１７】
本発明によれば、次のような効果が得られる。
【００１８】
(1) メータの検針業務や保安業務の迅速化とともに、作業効率を高めることができる。
【００１９】
(2) 検針業務や保安業務におけるヒューマンエラーのリスクを低減でき、業務の信頼性が高められる。
【００２０】
(3) 業務における情報漏洩のリスクを低減でき、情報漏洩を防止できる。
【００２１】
そして、本発明の他の目的、特徴および利点は、添付図面および各実施の形態を参照することにより、一層明確になるであろう。
【図面の簡単な説明】
【００２２】
【図１】一実施の形態に係るメータ管理システムを示す図である。
【図２】メータ管理システムにおけるガスメータ、通信端末およびサーバの各機能を示す図である。
【図３】検針管理機能を示す図である。
【図４】保安管理機能を示す図である。
【図５】ガスメータの一例を示す図である。
【図６】ガスメータのハードウェアの一例を示す図である。
【図７】通信端末の一例を示す図である。
【図８】検針管理テーブルおよび保安機能作動条件テーブルの一例を示す図である。
【図９】業務選択画面の一例を示す図である。
【図１０】検針業務および保安業務の処理手順を示すフローチャートである。
【図１１】ガスメータの検針管理の処理手順を示すフローチャートである。
【図１２】通信端末の検針管理の処理手順を示すフローチャートである。
【図１３】通信端末の検針管理の処理手順を示すフローチャートである。
【図１４】サーバの検針管理の処理手順を示すフローチャートである。
【図１５】検針管理におけるガスメータ、通信端末およびサーバの処理シーケンスを示す図である。
【図１６】図１５に続く処理シーケンスを示す図である。
【図１７】ガスメータの保安管理の処理手順を示すフローチャートである。
【図１８】通信端末の保安管理の処理手順を示すフローチャートである。
【図１９】サーバの保安管理の処理手順を示すフローチャートである。
【図２０】保安管理におけるガスメータ、通信端末およびサーバの処理シーケンスを示す図である。
【図２１】図２０に続く処理シーケンスを示す図である。
【発明を実施するための形態】
【００２３】
＜システム構成＞
【００２４】
図１は、一実施の形態に係るガスメータ管理システム２を示している。図１に示す構成は一例であり、斯かる構成に本発明が限定されるものではない。
【００２５】
このガスメータ管理システム２は検針管理機能および保安管理機能を含む処理を実現する。検針管理機能は、ガス使用量の計測、その使用量の料金などの算出、検針票の発行などの管理業務を行う。保安管理機能は、ガス流量や圧力の監視、遮断および警報などの安全確保のための保安管理業務を行う。そこで、このガスメータ管理システム２には斯かる機能を実現するため、ガスメータ４、通信端末６およびサーバ８が含まれる。
【００２６】
ガスメータ４は、たとえば、都市ガスを消費する顧客先に設置されている。このガスメータ４の機能には、ガスメータが備える機能に加え、通信端末６との近接通信１０による通信機能が含まれる。この通信機能を利用し、ガスメータ４は通信端末６から設定情報などの入力情報１２−１を受け、通信端末６に検針データなどの出力情報１２−２が送出される。
【００２７】
通信端末６はたとえば、スマートフォン（smartphone）であり、携帯端末と情報処理端末の各機能を備えるとともに、近接通信１０によるガスメータ４との通信機能を備える。近接通信１０には、通信端末６をガスメータ４の近傍でかざすなどの操作で行う。この通信端末６はたとえば、可搬性のある通信機能を備える情報処理端末に近接通信１０が可能な装置であってもよい。
【００２８】
この通信端末６は、インターネット１３によりサーバ８に接続されている。通信端末６は、公衆回線を通じて基地局に接続され、インターネット１３を介してサーバ８に接続される。したがって、通信端末６では、インターネット通信１４によりサーバ８との間で情報の送受が可能である。
【００２９】
サーバ８は情報管理機能とともに通信機能を備え、インターネット１３を介して通信端末６と接続される。このサーバ８はたとえば、ガス供給基地（ガスステーション）に設置されるセンタサーバである。このサーバ８は、ガス供給に関するユーザ情報などを管理するコンピュータシステムであり、データベース１６を備える。このデータベース１６には管理情報１８が格納される。管理情報１８には検針管理情報１８−１、保安管理情報１８−２およびアプリ１８−３が含まれる。
【００３０】
検針管理情報１８−１は検針管理に必要な情報であり、たとえば、顧客情報１８−１１、メータ情報１８−１２、検針データ１８−１３、単位体積当たりのガス料金１８−１４が含まれる。顧客情報１８−１１は、ガスメータ４を設置している顧客を特定するためのＩＤ（IDentification）情報などの識別情報である。メータ情報１８−１２は、顧客先に設置されているガスメータ４を表す情報である。検針データ１８−１３は、顧客先のガスメータ４で計測された計測値を表す。
【００３１】
保安管理情報１８−２は保安管理に必要な情報であり、たとえば、ガス流量値１８−２１、ガス圧力値１８−２２、ガス遮断履歴１８−２３などが含まれる。ガス流量値１８−２１は顧客先に提供されるガスの流量値である。ガス圧力値１８−２２は、顧客先に提供されるガスの圧力値である。ガス遮断履歴１８−２３は、顧客先の遮断弁の遮断履歴である。
【００３２】
アプリ１８−３は、このガスメータ管理システム２を実現するためのプログラムである。その他のソフトウェアとして、ＯＳ（Operating System）の基本ソフトウェアや、検針管理および保安管理の双方を実行するためのアプリケーションプログラムが格納されている。
【００３３】
＜近接通信１０＞
【００３４】
近接通信１０はガスメータ４と通信端末６との間で行われる通信である。この近接通信１０にはたとえば、フェリカ（ＦｅｌｉＣａ：登録商標）規格、ブルートゥース（Bluetooth ：登録商標）規格、ＩｒＤＡ（Infrared Data Association ）規格など、近接した領域内での無線通信を媒介とした通信が可能である。この近接通信１０により、通信端末６がガスメータ４に向けるなどの操作を受け、ガスメータ４との無線接続を確立させることができる。これにより、ガスメータ４と通信端末６との間で情報の授受が行える。この近接通信１０の通信形態には非接触通信や近距離無線通信などが含まれる。
【００３５】
(a) 非接触通信
【００３６】
この非接触通信はフェリカ（Ｆｅｌｉｃａ：登録商標）、ＮＦＣ（Near Field Communication）などの非接触型ＩＣカードによる通信である。ガスメータ４に通信端末６をかざして近接通信１０を確立させ、通信端末６がガスメータ４からの情報取得と、ガスメータ４に対する通信端末６からの情報入力が行える。
【００３７】
(b) 近距離無線通信
【００３８】
この近距離無線通信は、 Bluetooth（登録商標）、ｗｉ−ｆｉなどの近距離の無線通信である。近距離無線通信が可能な通信エリア内にある通信端末６を操作して近距離通信を確立させる。非接触通信では通信端末６をガスメータ４の設置場所の近傍に移動させたのに対し、近距離無線通信では、該近距離無線通信が可能な通信エリア内に通信端末６があれば、設置場所の近傍に通信端末６を移動する必要がない。近距離無線通信が可能な通信エリア内にある通信端末６でガスメータ４からの情報取得と、ガスメータ４に対する入力が行える。
【００３９】
＜ガスメータ４、通信端末６およびサーバ８の機能＞
【００４０】
図２は、ガスメータ管理システム２におけるガスメータ４、通信端末６およびサーバ８の機能を示している。
【００４１】
ガスメータ４には検針管理機能２４−１、保安管理機能２４−２、データ表示機能２４−３、近接通信機能２４−４などが含まれる。検針管理機能２４−１は、通信端末６との近接通信１０を媒介とする検針管理を含んでいる。保安管理機能２４−２は、通信端末６との近接通信１０を媒介とする保安機能作動条件の一括且つ自動設定を含んでいる。データ表示機能２４−３は、各処理手順におけるデータ表示を行う。近接通信機能２４−４は、既述の近接通信１０を実現する。
【００４２】
通信端末６には検針管理機能２６−１、保安管理機能２６−２、データ表示機能２６−３、近接通信機能２６−４、通信機能２６−５などが含まれる。検針管理機能２６−１は、近接通信１０を媒介としたガスメータ４との検針管理を含んでいる。保安管理機能２６−２は、近接通信１０を媒介とするガスメータ４の保安機能作動条件の一括且つ自動設定を含んでいる。データ表示機能２６−３は、通信端末６側の各処理手順におけるデータ表示を行う。近接通信機能２６−４は、既述の近接通信１０を実現する。通信機能２６−５は、インターネット通信１４を媒介とするサーバ８との通信機能を含む。
【００４３】
サーバ８には検針管理機能２８−１、保安管理機能２８−２、情報処理機能２８−３、情報蓄積機能２８−４、通信機能２８−５などが含まれる。検針管理機能２８−１は、インターネット通信１４を媒介とした通信端末６との検針管理を含んでいる。保安管理機能２８−２は、インターネット通信１４を媒介とする通信端末６の保安機能作動条件の一括且つ自動設定を含んでいる。情報処理機能２８−３は、通信端末６との情報の授受などの情報処理を含んでいる。情報蓄積機能２８−４は、通信端末６との通信を媒介とした顧客情報１８−１１やアプリ１８−３などの各種情報の蓄積を含んでいる。通信機能２８−５は、インターネット通信１４を媒介とする通信端末６との通信機能を含む。
【００４４】
＜検針管理機能＞
【００４５】
図３は、検針管理機能の一例を示している。この検針管理機能は近接通信１０およびインターネット通信１４を含み、ガスメータ４、通信端末６およびサーバ８で実行される。この検針管理機能は、ガスメータ４と通信端末６との間で近接通信１０を確立させて実行する。通信端末６はサーバ８との間でインターネット通信１４を確立させ、検針管理機能の実現に必要な情報をサーバ８から取得する。
【００４６】
この検針管理機能を実現するため、通信端末６は、ガスメータ４からの内部指針の読み取り１２−２１、ガス料金の算出１２−２２、検針票の発行１２−２３を含む処理を行う。また、通信端末６は、サーバ８からアプリ１８−３の取得を行い、そのうえで顧客情報１８−１１、検針データ１８−１３、単位体積当たりのガス料金１８−１４を取得する。
【００４７】
この機能処理では、ガスメータ４との間で近接通信１０を確立させ、ガスメータ４から内部指針の読み取りを行う。近接通信１０を維持し、インターネット通信１４により、単位体積あたりのガス料金１８−１４をインターネット１３経由でダウンロードする。その際、前回の検針データ１８−１３をインターネット１３経由でサーバ８からダウンロードする。前回の検針データ１８−１３と今回の検針データ１８−１３との差分と単位体積当たりのガス料金１８−１４とを用いることにより、ガス料金を算出する。この算出結果により、検針票を発行する。この検針票はたとえば、紙媒体、電子メールまたはダイレクトメールのいずれでもよい。そして、今回算出した検針データは、通信端末６からインターネット通信１４により、サーバ８にアップロードし、サーバ８がデータ保存を行う。
【００４８】
＜保安管理機能＞
【００４９】
図４は、保安管理機能の一例を示している。この保安管理機能は近接通信１０およびインターネット通信１４を含み、ガスメータ４、通信端末６およびサーバ８で実行される。この保安管理機能を実現するため、通信端末６は、サーバ８からアプリ１８−３の取得を行い、そのうえで顧客情報１８−１１、メータ情報１８−１２を取得する。
【００５０】
この保安管理機能は、ガスメータ４と通信端末６との間で近接通信１０を確立させて実行する。通信端末６はサーバ８との間でインターネット通信１４を確立させ、保安管理機能の実現に必要な情報をサーバ８から取得する。この保安情報１８−２には顧客情報１８−１１、メータ情報１８−１２や、既述のガス流量値１８−２１、ガス圧力値１８−２２、ガス遮断履歴１８−２３が含まれる。
【００５１】
この機能処理ではガスメータ４と通信端末６との間で近接通信１０を確立させ、通信端末６によりガスメータ４の内部情報の設定を行う。この設定では複数の設定項目についてたとえば、メータ情報１８−１２の選択１２−１１を行い、そのメータ情報１８−１２について一括して設定または変更１２−１２を行う。設定した内部情報や変更を行った内部情報は通信端末６とインターネット通信１４によりサーバ８に通知し、サーバ８がデータ保存を行う。
【００５２】
＜ガスメータ４＞
【００５３】
図５は、ガスメータ４の一例を示している。このガスメータ４はガスＧを供給するガス供給路３０に設置されている。このガス供給路３０はたとえば、ガス供給源であるガスステーションから需要先に配設されている。したがって、ガスメータ４は、ガス器具３２−１、３２−２・・・の上流側に設置され、使用ガス量の計測、感震遮断および自動復帰を行う。ガス器具３２−１、３２−２・・・は、ガスコンロ、燃料電池、暖房機などのガスを燃料とするガス機器の一例である。
【００５４】
ガスメータ４には、計量部３４、遮断弁３６および電源部３８が含まれる。計量部３４は、ガス供給路３０の下流側に流れるガス流量を計量する。遮断弁３６は、情報処理部４０により制御され、情報処理部４０による自動閉弁制御によりガス供給を遮断する機能と、自動開弁制御によりガス供給を復帰させる機能とを備える。電源部３８は、計量部３４、遮断弁３６、情報処理部４０など、各機能部に給電する。この電源部３８にはたとえば、バッテリが含まれる。
【００５５】
情報処理部４０は第１の制御手段の一例である。この情報処理部４０にはたとえば、マイクロコンピュータ（μＣＯＭ）が用いられる。
【００５６】
この情報処理部４０には、感震部４２、近接通信部４４、表示部４６および記憶部４８が接続されている。感震部４２は、地震などによる震動を検知する。この検知条件は既述の保安機能作動条件に含まれる。近接通信部４４は通信端末６と近接通信１０を行う。
【００５７】
表示部４６はたとえば、ＬＣＤ（Liquid Crystal Display）で構成され、情報表示を行う。
【００５８】
記憶部４８は記録媒体で構成され、情報を記憶する。この記憶部４８には既述の管理情報１８が格納されている。
【００５９】
＜ガスメータ４のハードウェア＞
【００６０】
図６は、ガスメータ４のハードウェアの一例を示している。図６において、図５と同一部分には同一符号を付してある。
【００６１】
情報処理部４０には、プロセッサ５０が設置されている。このプロセッサ５０は、記憶部４８にあるＯＳ（Operating System）や、アプリ１８−３などの各種制御プログラムを実行する。近接通信部４４は通信端末６との近接通信１０を行う。
【００６２】
このプロセッサ５０には、バス５２を介してＲＯＭ（Read-Only Memory）５４、ＮＶＭ（Non Volatile Memory ）５６、ＲＡＭ（Random-Access Memory）５８、入出力部（Ｉ／Ｏ）６０および近接通信部４４が接続されている。ＲＯＭ５４には、既述のＯＳやアプリ１８−３などの制御プログラムが格納されている。
【００６３】
ＮＶＭ５６は、ＥＥＰＲＯＭ（Electrically Erasable Programmable Read-Only Memory ）などの不揮発性メモリで構成される。このＮＶＭ５６には、指針情報、内部情報、設定情報などの各種の制御情報が格納され、検針管理データテーブル６２、保安機能作動条件テーブル６３などを含むデータベースが構築されている。ＲＡＭ５８は、情報処理のワークエリアである。
【００６４】
Ｉ／Ｏ６０は情報の入出力を行う。このＩ／Ｏ６０には図示しない情報端末機器などが接続される。また、近接通信部４４は、既述の近接通信１０により通信端末６と接続され、情報の入出力を行う。
【００６５】
＜通信端末６＞
【００６６】
図７は、通信端末６の一例を示している。この通信端末６には通信機能を持つ情報処理手段としてコンピュータが用いられる。この通信端末６にはシステム制御部６４および近接通信制御部６６が含まれている。システム制御部６４は第２の制御手段の一例である。このシステム制御部６４はたとえば、プロセッサで構成され、既述の検針管理機能２６−１、保安管理機能２６−２、データ表示機能２６−３および通信機能２６−５を司る。近接通信制御部６６は既述の近接通信機能２６−４を司る。
【００６７】
システム制御部６４には無線通信部６８、タッチパネル７０、表示部７２、記憶部７４が接続されている。無線通信部６８は、アンテナ７６を備える。この無線通信部６８では、基地局との無線通信を行い、既述のサーバ８とインターネット１３に接続される。
【００６８】
タッチパネル７０はタッチによる入力部である。このタッチパネル７０は、表示部７２の表示画面に設置されている。表示部７２に表示されるたとえば、画面表示９６（図９）からの業務の選択などの入力が可能である。
【００６９】
表示部７２にはたとえば、ＬＣＤ（Liquid Crystal Display）が用いられる。この表示部７２には文字情報や図形情報などの各種の情報が表示される。
【００７０】
記憶部７４には、記録素子が用いられる。この記憶部７４にはプログラム記憶部８０、データ記憶部８２およびＲＡＭ８４が含まれる。プログラム記憶部８０には、コンピュータで実行されるプログラムが格納される。このプログラムにはＯＳ、通信端末６とガスメータ４との情報の授受を行うプログラム、既述のアプリ１８−３、サーバ８との間で情報の授受を行うプログラムなど、各種のアプリケーションプログラムが格納される。ＲＡＭ８４は、情報の入出力、演算などの情報処理のワークエリアに用いられる。データ記憶部８２には、ガスメータ４から取得した内部情報や、ガスメータに設定する内部情報が格納される。
【００７１】
近接通信制御部６６には近接通信部８６および記憶部８８が接続されている。近接通信部８６は、アンテナ９０を備え、ガスメータ４の近接通信部４４と近接通信１０を行う。記憶部８８は読み書き可能な記憶素子で構成される。この記憶部８８には近接通信部８６で近接通信１０により送受される情報、たとえば、ガスメータ４から取得した指針情報などが格納される。これら近接通信制御部６６、近接通信部８６、記憶部８８およびアンテナ９０は非接触通信部としてたとえば、ＩＣカードで構成され、非接触通信により、情報の送受を行う。
【００７２】
＜ガスメータ４の検針管理データテーブル６２＞
【００７３】
図８のＡは、ガスメータ４の検針管理データテーブル６２の一例を示している。この検針管理データテーブル６２はガスメータ４に構築されるデータベースの一例である。
【００７４】
この検針管理データテーブル６２には、識別ＩＤ６２−１、内部指針値６２−２、遮断履歴６２−３、遮断・バイパス設定値６２−４が格納される。
【００７５】
識別ＩＤ６２−１は、電話番号や暗証番号など、顧客を特定可能なＩＤ情報などである。この識別ＩＤ６２−１にはガスメータ４を特定するメータ社番を含むメータＩＤなどの識別情報が含まれる。内部指針値６２−２はガス使用量の値である。遮断履歴６２−３は、遮断弁３６の遮断履歴を表す情報である。遮断・バイパス設定値６２−４は、ガス遮断およびバイパスの設定情報である。
【００７６】
＜通信端末６の検針管理データテーブル９２＞
【００７７】
図８のＢは、通信端末６のデータテーブルの一例を示している。この検針管理データテーブル９２は通信端末６に構築されるデータベースの一例である。
【００７８】
この検針管理データテーブル９２には、識別ＩＤ９２−１、顧客情報９２−２、前月分の検針データ９２−３、検針結果情報９２−４が格納される。識別ＩＤ９２−１は、電話番号や暗証番号など、顧客やガスメータ４を特定することが可能なＩＤ情報である。顧客情報９２−２は、電話番号、パスワードなどの顧客の特定に用いられる識別情報である。前月分の検針データ９２−３は従前検針データの一例である。検針が月単位で行われるので、当月分の検針を求めるための基準となる前月分の検針値を格納している。検針結果情報９２−４は、当月の検針結果を表す検針情報である。
【００７９】
＜サーバ８の検針管理データテーブル９４＞
【００８０】
図８のＣは、サーバ８のデータテーブルを示している。この検針管理データテーブル９４は、サーバ８に構築されるデータベースの一例である。
【００８１】
この検針管理データテーブル９４には、識別ＩＤ９４−１、顧客情報９４−２、ガス料金情報９４−３、検針結果情報９４−４、遮断・バイパス設定値９４−５が含まれる。識別ＩＤ９４−１は、電話番号、パスワード、メータＩＤなどの顧客やガスメータ４を特定可能なＩＤ情報である。顧客情報９４−２は、顧客の住所など、顧客に関する識別情報である。ガス料金情報９４−３は、既述の単位体積当たりのガス料金を表す情報である。検針結果情報９４−４は、当月の検針結果を表す検針情報である。遮断・バイパス設定値９４−５は、顧客情報９４−２で特定されるガスメータ４に対するガス遮断およびバイパスの設定情報である。
【００８２】
＜ガスメータ保安機能作動条件データテーブル６３＞
【００８３】
図８のＤは、ガスメータ保安機能作動条件データテーブル６３を示している。このガスメータ保安機能作動条件データテーブル６３は、ガスメータ４に構築されるデータベースの一例である。
【００８４】
このガスメータ保安機能作動条件データテーブル６３には、内部設定情報として現在流量値６３−１、現在圧力値６３−２、遮断履歴６３−３、警報履歴６３−４、遮断・バイパス設定値６３−５が格納される。現在流量値６３−１は、現在供給されているガスＧの流量値情報である。現在圧力値６３−２は、現在供給されているガスの圧力値情報である。遮断履歴６３−３は、遮断弁３６の遮断履歴を表す情報である。警報履歴６３−４は、ガスＧの漏洩、震度５以上の感震などにより警報を発した履歴を表す情報である。遮断・バイパス設定値６３−５は、ガス遮断およびバイパスの設定情報である。
【００８５】
＜通信端末６の業務選択画面表示＞
【００８６】
図９は、通信端末６の業務選択のための画面表示９６を示している。この画面表示９６は、機能の選択画面表示である。この場合、ガイド情報９７とともに、選択情報として検針管理機能を表す検針業務アイコン９７−１と、保安管理機能を表す保安業務アイコン９７−２が表示される。
【００８７】
この画面表示９６はたとえば、情報入力画面であり、検針業務アイコン９７−１をタッチなどにより選択すれば、検針管理機能が選択される。また、保安業務アイコン９７−２をタッチなどにより選択すれば、保安管理機能が選択される。
【００８８】
＜処理手順＞
【００８９】
図１０は、検針管理機能および保安管理機能を含む処理手順を示している。この処理手順は、本発明のメータ管理プログラムを含んでいる。
【００９０】
この処理手順は通信端末６にサーバ８からダウンロードされているアプリ１８−３の起動により実行される。このアプリ１８−３を起動すると（Ｓ１０１）、検針管理機能か保安管理機能かの選択を行う（Ｓ１０２）。この選択に基づき、検針管理機能か否かを判定し（Ｓ１０３）、検針管理機能であれば（Ｓ１０３のＹＥＳ）、検針管理処理を実行する。検針管理機能でなければ（Ｓ１０３のＮＯ）、保安管理機能か否かを判定し（Ｓ１０４）、保安管理機能であれば（Ｓ１０４のＹＥＳ）、保安管理処理を実行する。保安管理機能でなければ（Ｓ１０４のＮＯ）、この処理を終了する。なお、処理の終了に代え、Ｓ１０１に戻る処理としてもよい。
【００９１】
ａ）検針管理機能
【００９２】
検針管理機能の処理では、当日分の顧客情報１８−１１、前回の検針データ１８−１３を一括してダウンロードによりサーバ８から取得する（Ｓ１０５）。この場合、サーバ８から単位体積当たりのガス料金１８−１４も取得する。このダウンロードは、既述の通り、インターネット通信１４を媒介として行う。
【００９３】
この処理の後、ガスメータ４と近接通信１０を確立させる（Ｓ１０６）。識別情報の照合を行う（Ｓ１０７）。この場合、識別情報には顧客情報１８−１１やメータ情報１８−１２が含まれる。ガスメータ４から内部指針１２−２１の読み取りを行う（Ｓ１０８）。既に取得している単位体積当たりのガス料金１８−１４を用いてガス料金の算出１２−２２を行い（Ｓ１０９）、検針票の発行を行う（Ｓ１１０）。
【００９４】
次の検針先があるか否かを判断し（Ｓ１１１）、次の検針先があれば（Ｓ１１１のＹＥＳ）、次の検針先のガスメータ４との間で近接通信１０を確立させる（Ｓ１０６）。同様の処理（Ｓ１０７、Ｓ１０８、Ｓ１０９、Ｓ１１０、Ｓ１１１）を実行する。
【００９５】
そして、次の検針先がなければ（Ｓ１１１のＮＯ）、今回の検針データをサーバ８にインターネット通信１４により通知し、検針データの一括保存を行い（Ｓ１１２）、Ｓ１０１に戻る。
【００９６】
ｂ）保安管理機能
【００９７】
保安管理機能の処理では、保安管理に必要な情報をインターネット通信１４によりサーバ８から取得する。そして、各種遮断、警報バイパス設定などの変更項目を選択し（Ｓ１１３）、ガスメータ４と近接通信１０を確立させる（Ｓ１１４）。ガスメータ４の設定情報の変更などを行い（Ｓ１１５）、変更を行った内部情報をサーバ８に通知し、サーバ８に設定情報や変更情報を保存し（Ｓ１１６）、Ｓ１０１に戻る。
【００９８】
＜検針処理の処理手順＞
【００９９】
図１１は、ガスメータ４の検針処理の処理手順の一例を示している。
【０１００】
この処理手順では、通信端末６との近接通信１０を確立させ（Ｓ２０１）、通信端末６から識別情報（識別ＩＤ９２−１など）の受信を行う（Ｓ２０２）。受信した識別情報の照合を行う（Ｓ２０３）。照合結果の正否を判断し（Ｓ２０４）、照合結果が正しければ（Ｓ２０４のＹＥＳ）、照合結果を通信端末６に送信し（Ｓ２０５）、内部指針値６２−２を通信端末６に送信する（Ｓ２０６）。内部指針値の送信終了により、通信端末６との近接通信１０を解除し（Ｓ２０７）、この処理を終了する。
【０１０１】
照合結果が正しくなければ（Ｓ２０４のＮＯ）、照合エラーを送信し（Ｓ２０８）、近接通信１０の解除を行い（Ｓ２０９）、この処理を終了する。
【０１０２】
図１２は、通信端末６のガスメータ４との検針処理の処理手順の一例を示している。
【０１０３】
この処理手順では、検針管理機能を実現するためのアプリ１８−３を起動する（Ｓ３０１）。この起動により、画面表示９６を立ち上げ、ユーザ指示により検針業務アイコン９７−１を選択する（Ｓ３０２）。これを契機に、ガスメータ４との近接通信１０を開始し（Ｓ３０３）、ガスメータ４に対し、識別情報を送信する（Ｓ３０４）。ガスメータ４から照合結果を受信し（Ｓ３０５）、照合エラーの受信を判断する（Ｓ３０６）。
【０１０４】
照合エラーの受信でなければ（Ｓ３０６のＮＯ）、ガスメータ４から内部指針値６２−２の受信を行い（Ｓ３０７）、内部指針値６２−２と単位体積当たりのガス料金１８−１４とを用いてガス料金の算出を行う（Ｓ３０８）。ガス料金の算出の後、検針票の発行１２−２３を行い（Ｓ３０９）、近接通信１０の解除を行う（Ｓ３１０）。そして、近接通信１０の正常終了の表示を行い（Ｓ３１１）、ガスメータ４とのデータの授受を終了する。
【０１０５】
照合エラーの受信であれば（Ｓ３０６のＹＥＳ）、近接通信１０の解除を行い（Ｓ３１２）、照合エラーの表示を行う（Ｓ３１３）。この場合、ガスメータ４とのデータの授受を終了するが、Ｓ３０２またはＳ３０３に復帰し、再処理としてもよい。
【０１０６】
図１３は、通信端末６のサーバ８との検針処理の処理手順の一例を示している。
【０１０７】
この処理手順は、ガスメータ４との検針処理の後に実行される。この処理手順では、サーバ８とのインターネット通信１４を確立させて実行する（Ｓ３５１）。
【０１０８】
この処理手順では、サーバ８に対し、識別情報の送信を行い（Ｓ３５２）、サーバ８から照合結果の受信を行う（Ｓ３５３）。この照合エラーの受信を判断する（Ｓ３５４）。
【０１０９】
照合エラーの受信でなければ（Ｓ３５４のＮＯ）、ガス料金情報９４−３の受信を行い（Ｓ３５５）、ガス料金の算出（Ｓ３５６）、検針票の発行（Ｓ３５７）、サーバ８に対する検針結果情報９４−４の送信（Ｓ３５８）を行う。この送信の後、インターネット通信１４の解除を行い（Ｓ３５９）、通信の正常終了の表示を行い（Ｓ３６０）、サーバ８とのデータの授受を終了する。
【０１１０】
照合エラーの受信であれば（Ｓ３５４のＹＥＳ）、インターネット通信１４の解除を行い（Ｓ３６１）、照合エラーの表示を行う（Ｓ３６２）。この場合、サーバ８とのデータの授受を終了するが、Ｓ３５１に復帰し、再処理としてもよい。
【０１１１】
図１４は、サーバ８の検針管理の処理手順を示している。この処理手順は、サーバ８では通信端末６とのインターネット通信１４を媒介として実行し、ガスメータ４との直接通信の実行はない。
【０１１２】
この処理手順では、通信端末６とのインターネット通信１４を確立させる（Ｓ４０１）。サーバ８は、通信端末６から識別情報の受信を行い（Ｓ４０２）、識別情報の照合を行う（Ｓ４０３）。照合結果の正否を判断する（Ｓ４０４）。
【０１１３】
照合結果が正しければ（Ｓ４０４のＹＥＳ）、通信端末６に対し、照合結果の送信を行い（Ｓ４０５）、続いてガス料金情報９４−３の送信を行う（Ｓ４０６）。これらを契機とし、サーバ８は通信端末６から検針結果情報９２−４の受信を行い（Ｓ４０７）、受信した検針結果情報９２−４の保存を行う（Ｓ４０８）。情報の保存完了により、インターネット通信１４の解除を行い（Ｓ４０９）、通信端末６とのデータの授受を終了する。
【０１１４】
照合結果が正しくなければ（Ｓ４０４のＮＯ）、通信端末６に対し、照合エラーの送信を行い（Ｓ４１０）、インターネット通信１４の解除を行う（Ｓ４１１）。この通信の解除により、この処理を終了する。
【０１１５】
図１５および図１６は、ガスメータ４、通信端末６およびサーバ８で実行される検針管理の処理シーケンスを示している。
【０１１６】
通信端末６とガスメータ４との間では、近接通信１０の開始（Ｓ５０１）、識別情報の送受信（Ｓ５０２）、照合結果の送受信（Ｓ５０３）、照合エラーの送受信（Ｓ５０４）、内部指針値の送受信（Ｓ５０５）が実行される。
【０１１７】
通信端末６とサーバ８との間では、インターネット通信１４の開始（Ｓ５０６）、識別情報の送受信（Ｓ５０７）、照合結果の送受信（Ｓ５０８）、照合エラーの送受信（Ｓ５０９）、ガス料金情報の送受信（Ｓ５１０）、検針結果情報の送受信（Ｓ５１１）が実行される。
【０１１８】
この処理シーケンス（図１５、図１６）において、図１１、図１２、図１３および図１４と同一部分には同一符号を付し、その説明を割愛する。
【０１１９】
＜保安処理の処理手順＞
【０１２０】
図１７は、ガスメータ４の保安処理の処理手順の一例を示している。
【０１２１】
この処理手順では、通信端末６との近接通信１０を確立させ（Ｓ６０１）、通信端末６からの識別情報の受信を行う（Ｓ６０２）。ガスメータ４では識別情報の照合を行い（Ｓ６０３）、照合結果の正否を判断する（Ｓ６０４）。
【０１２２】
照合結果が正しければ（Ｓ６０４のＹＥＳ）、通信端末６に対し、照合結果の送信（Ｓ６０５）、内部指針値情報の送信（Ｓ６０６）、内部設定情報の送信（Ｓ６０７）、内部履歴情報の送信（Ｓ６０８）を行う。ガスメータ４は通信端末６から設定情報の受信を行い（Ｓ６０９）、内部設定値の変更を行い（Ｓ６１０）、通信端末６に対し、設定結果の送信を行う（Ｓ６１１）。これにより、近接通信１０の解除を行い（Ｓ６１２）、この処理を終了する。
【０１２３】
照合結果が正しくなければ（Ｓ６０４のＮＯ）、ガスメータ４から通信端末６に対し照合エラーの送信を行い（Ｓ６１３）、近接通信１０の解除を行い（Ｓ６１４）、この処理を終了する。
【０１２４】
図１８は、通信端末６の保安処理の処理手順の一例を示している。
【０１２５】
この処理では、アプリ１８−３の起動を行い（Ｓ７０１）、画面表示９６から保安業務９７−２の選択を行う（Ｓ７０２）。通信端末６は、ガスメータ４との近接通信１０を開始し（Ｓ７０３）、ガスメータ４に対し識別情報の送信を行う（Ｓ７０４）。通信端末６は、ガスメータ４から照合結果の受信を行い（Ｓ７０５）、照合エラーの受信を判断する（Ｓ７０６）。
【０１２６】
照合エラーを受信すれば（Ｓ７０６のＹＥＳ）、ガスメータ４との近接通信１０の解除を行い（Ｓ７０７）、照合エラーの表示（Ｓ７０８）を行い、この処理を終了する。
【０１２７】
照合エラーを受信しなければ（Ｓ７０６のＮＯ）、通信端末６はガスメータ４から内部指針値情報の受信（Ｓ７０９）、内部設定情報の受信（Ｓ７１０）、内部履歴情報の受信（Ｓ７１１）を行う。
【０１２８】
そして、通信端末６はサーバ８とのインターネット通信１４を確立させ（Ｓ７１２）、サーバ８に対し、識別情報の送信を行う（Ｓ７１３）。通信端末６はサーバ８から照合結果を受信し（Ｓ７１４）、照合エラーの受信を判断する（Ｓ７１５）。
【０１２９】
照合エラーを受信すれば（Ｓ７１５のＹＥＳ）、インターネット通信１４の解除を行い（Ｓ７１６）、照合エラーの表示を行い（Ｓ７１７）、この処理を終了する。
【０１３０】
照合エラーを受信しなければ（Ｓ７１５のＮＯ）、現在の内部設定情報の表示（Ｓ７１８）、設定情報の入力（Ｓ７１９）、ガスメータ４に対し設定情報の送信を行う（Ｓ７２０）。通信端末６はガスメータ４から設定結果の受信（Ｓ７２１）、設定結果の表示（Ｓ７２２）を行う。
【０１３１】
そして、通信端末６は、サーバ８に対し内部設定変更情報の送信を行い（Ｓ７２３）、近接通信１０およびインターネット通信１４の解除を行う（Ｓ７２４）。これにより通信の正常終了の表示を行い（Ｓ７２５）、この処理を終了する。
【０１３２】
図１９は、サーバ８の保安処理の処理手順の一例を示している。
【０１３３】
この処理手順では、通信端末６との間でインターネット通信１４を確立させ（Ｓ８０１）、通信端末６からの識別情報の受信を行う（Ｓ８０２）。サーバ８は、識別情報の照合を行い（Ｓ８０３）、照合結果の正否を判断する（Ｓ８０４）。
【０１３４】
照合結果が正しければ（Ｓ８０４のＹＥＳ）、サーバ８から通信端末６に対し照合結果の送信（Ｓ８０５）、通信端末６から内部設定変更情報の受信（Ｓ８０６）を行い、内部設定変更情報の保存を行う（Ｓ８０７）。この保存完了により、通信端末６とのインターネット通信１４の解除を行い（Ｓ８０８）、この処理を終了する。
【０１３５】
照合結果が正しくなければ（Ｓ８０４のＮＯ）、通信端末６に対し照合エラーの送信を行い（Ｓ８０９）、通信端末６とのインターネット通信１４の解除を行う（Ｓ８１０）。
【０１３６】
図２０および図２１は、ガスメータ４、通信端末６およびサーバ８で実行される保安管理の処理シーケンスを示している。
【０１３７】
通信端末６とガスメータ４との間では、近接通信１０の確立（Ｓ９０１）、識別情報の送受信（Ｓ９０２）、照合結果の送受信（Ｓ９０３）、照合エラーの送受信（Ｓ９０４）、内部指針値６２−２の送受信（Ｓ９０５）、内部設定情報の送受信（Ｓ９０６）、内部履歴情報の送受信（Ｓ９０７）、設定情報の送受信（Ｓ９０８）、設定結果の送受信（Ｓ９０９）、近接通信１０の解除（Ｓ９１０）が実行される。
【０１３８】
通信端末６とサーバ８との間では、インターネット通信１４の開始（Ｓ９１１）、識別情報の送受信（Ｓ９１２）、照合結果の送受信（Ｓ９１３）、照合エラーの送受信（Ｓ９１４）、内部設定変更情報の送受信（Ｓ９１５）、インターネット通信１４の解除（Ｓ９１６）が実行される。
【０１３９】
この処理シーケンス（図２０、図２１）において、図１７、図１８および図１９と同一部分には同一符号を付し、その説明を割愛する。
【０１４０】
＜一実施の形態の効果＞
【０１４１】
斯かる構成によれば、次のような効果が得られる。
【０１４２】
(1) スマートフォンなどの通信端末６とガスメータ４とが近接通信１０により、通信端末６の操作により、ガスメータ４の内部情報を読取り、設定することができる。これにより、業務の迅速化、信頼性の向上、情報の漏洩防止を図ることができる。
【０１４３】
(2) 検針管理業務や保安管理業務に通信端末６を用いたので処理操作の簡略化と、業務の効率化を図ることができる。
【０１４４】
(3) スマートフォンなどの通信端末６とガスメータ４との近接通信１０にはＦｅｌｉｃａ（ＮＦＣ）などの無線通信を利用すればよく、近接通信１０では通信端末６をガスメータ４に、検針者や管理者などの作業者がたとえば、かざすだけで必要な通信を確立させ、情報の入力や出力を行うことができる。
【０１４５】
(4) 検針管理機能と保安管理機能は、通信端末６で起動するアプリ１８−３を起動し、任意に選択すればよい。
【０１４６】
(5) 検針管理では、ヒューマンエラーのリスクを低減できる。従来の検針業務では、作業者が自身でガスメータ指針を読み、端末に入力を行うため押し間違いや見間違いなどのヒューマンエラーが起こるリスクがあるのに対し、このようなリスクを低減できる。アプリ１８−３を起動させた通信端末６をガスメータ４にかざすなどの操作で近接通信１０を確立させれば、検針を行えるので、従来の押し間違いや見間違いなどのヒューマンエラーのリスクを回避できる。
【０１４７】
(6) 検針管理作業の効率化を図ることができる。従来の検針業務では、作業者が自身でガスメータの指針を読み、端末に入力を行うので、１回あたりの検針に要する時間が長いのに対し、アプリ１８−３を起動させた通信端末６とガスメータ４との近接通信１０の確立により、検針を行えるので、１回あたりの検針業務の時間を短縮でき、検針業務の効率化を図ることができる。
【０１４８】
(7) 保安管理のセキュリティ機能の強化を図ることできる。従来の保安業務では、ガスメータ４などの設定変更情報を作業者が登録するため、情報の遅延や漏洩が生じるおそれがあった。これに対し、通信端末６とガスメータ４との間で近接通信１０を確立させ、インターネット通信１４でサーバ８から情報を取得し、ガスメータ４に対する内部情報の設定や変更を通信端末６で行えるので、情報の遅延や漏れを防止できる。
【０１４９】
(8) 保安業務の効率化を図ることができる。従来の保安業務に使用されるガスメータ設定器の処理が非効率的であったのに対し、上記実施の形態では、アプリ１８−３から変更項目を選択して通信端末６との近接通信１０を確立させ、一括処理でガスメータ４の設定変更を行うことができ、保安業務の効率化を図ることができる。
【０１５０】
〔他の実施の形態〕
【０１５１】
上記実施の形態では、ガスメータを例示したが、使用量に応じて料金が発生する対象であればよく、ガスメータに限定されない。たとえば、電力メータ、水道メータ、カロリーメータ、ガス機器、電気機器、水道機器などであってもよい。
【０１５２】
以上説明したように、本発明の最も好ましい実施の形態等について説明した。本発明は、上記記載に限定されるものではない。特許請求の範囲に記載され、又は発明を実施するための形態に開示された発明の要旨に基づき、当業者において様々な変形や変更が可能である。斯かる変形や変更が、本発明の範囲に含まれることは言うまでもない。
【産業上の利用可能性】
【０１５３】
本発明では、ガスメータの検針業務や保安業務を通信端末との近接通信を媒介として実現でき、通信端末はインターネット通信を媒介として管理サーバ側からの情報提供を受け、最新の情報により検針や保安の各業務を実現でき、ヒューマンエラーや情報漏洩を回避でき、作業の迅速化とともに、業務の信頼性やセキュリティの向上を図ることができる。
【符号の説明】
【０１５４】
２  ガスメータ管理システム
４  ガスメータ
６  通信端末
８  サーバ
１０  近接通信
１２−１  入力情報
１２−２  出力情報
１２−２１  内部指針の読み取り
１２−２２  ガス料金の算出
１２−２３  検針票の発行
１３  インターネット
１４  インターネット通信
１６  データベース
１８  管理情報
１８−１  検針管理情報
１８−１１  顧客情報
１８−１２  メータ情報
１８−１３  検針データ
１８−１４  単位体積当たりのガス料金
１８−２  保安管理情報
１８−２１  ガス流量値
１８−２２  ガス圧力値
１８−２３  ガス遮断履歴
１８−３  アプリ
２４−１  検針管理機能
２４−２  保安管理機能
２４−３  データ表示機能
２４−４  近接通信機能
２６−１  検針管理機能
２６−２  保安管理機能
２６−３  データ表示機能
２６−４  近接通信機能
２６−５  通信機能
２８−１  検針管理機能
２８−２  保安管理機能
２８−３  情報処理機能
２８−４  情報蓄積機能
２８−５  通信機能
３０  ガス供給路
３２−１、３２−２  ガス器具
３４  計量部
３６  遮断弁
３８  電源部
４０  情報処理部
４２  感震部
４４  近接通信部
４６  表示部
４８  記憶部
５０  プロセッサ
５２  バス
５４  ＲＯＭ
５６  ＮＶＭ
５８  ＲＡＭ
６０  入出力部（Ｉ／Ｏ）
６２  検針管理データテーブル
６２−１  識別ＩＤ
６２−２  内部指針値
６２−３  遮断履歴
６２−４  遮断・バイパス設定値
６３  ガスメータ保安機能作動条件データテーブル
６３−１  現在流量値
６３−２  現在圧力値
６３−３  遮断履歴
６３−４  警報履歴
６３−５  遮断・バイパス設定値
６４  システム制御部
６６  近接通信制御部
６８  無線通信部
７０  タッチパネル
７２  表示部
７４  記憶部
７６  アンテナ
８０  プログラム記憶部
８２  データ記憶部
８４  ＲＡＭ
８６  近接通信部
８８  記憶部
９０  アンテナ
９２  検針管理データテーブル
９２−１  識別ＩＤ
９２−２  顧客情報
９２−３  前月分の検針データ
９２−４  検針結果情報
９４  検針管理データテーブル
９４−１  識別ＩＤ
９４−２  顧客情報
９４−３  ガス料金情報
９４−４  検針結果情報
９４−５  遮断・バイパス設定値
９６  画面表示
９７  ガイド情報
９７−１  検針業務アイコン
９７−２  保安業務アイコン
【図１】
2014186661.tif 000003
【図２】
2014186661.tif 000004
【図３】
2014186661.tif 000005
【図４】
2014186661.tif 000006
【図５】
2014186661.tif 000007
【図６】
2014186661.tif 000008
【図７】
2014186661.tif 000009
【図８】
2014186661.tif 000010
【図９】
2014186661.tif 000011
【図１０】
2014186661.tif 000012
【図１１】
2014186661.tif 000013
【図１２】
2014186661.tif 000014
【図１３】
2014186661.tif 000015
【図１４】
2014186661.tif 000016
【図１５】
2014186661.tif 000017
【図１６】
2014186661.tif 000018
【図１７】
2014186661.tif 000019
【図１８】
2014186661.tif 000020
【図１９】
2014186661.tif 000021
【図２０】
2014186661.tif 000022
【図２１】
2014186661.tif 000023